Podtech/llm-jp-corpus-v4-ja_patent huggingface dataset:
【手続補正書】
【提出日】平成18年4月27日(2006.4.27)
【手続補正１】
【補正対象書類名】明細書
【補正対象項目名】特許請求の範囲
【補正方法】変更
【補正の内容】
【特許請求の範囲】
【請求項１】  ゲーム画像を生成するゲームシステムであって、
ゲームプレイに使用されるチームを選択するための手段と、
選択されたチームを用いてプレーヤがゲームプレイするためのゲーム演算を行う手段と、
ゲームプレイでのゲーム結果を演算する手段と、
演算されたゲーム結果に基づいて、プレーヤが選択可能なチームの構成キャラクタを順次入れ替える手段と、
を含むことを特徴とするゲームシステム。
【請求項２】  請求項１において、
ノーマルチームを用いたゲームプレイでのゲーム結果に基づいて、スペシャルチームの構成キャラクタが順次入れ替わることを特徴とするゲームシステム。
【請求項３】  請求項２において、
ノーマルチームを用いたゲームプレイでの１ゲームの終了を条件としてキャラクタに活躍ポイントが与えられ、与えられた活躍ポイントに基づいてスペシャルチームの構成キャラクタが入れ替わることを特徴とするゲームシステム。
【請求項４】  請求項１乃至３のいずれかにおいて、
同一ポジションのキャラクタ同士が入れ替わることを特徴とするゲームシステム。
【請求項５】  請求項１乃至４のいずれかにおいて、
ゲームプレイにおける各キャラクタに関するデータがゲーム結果として蓄積され、蓄積されたデータの集計結果に基づいてチームの構成キャラクタが入れ替わることを特徴とするゲームシステム。
【請求項６】  請求項５において、
蓄積される前記データが、キャラクタの活躍ポイント、活躍したキャラクタの識別データ、及び蓄積時間データの少なくとも１つを含むことを特徴とするゲームシステム。
【請求項７】  請求項６において、
前記活躍ポイントの増加の制限処理、前記識別データの記憶領域の制限処理、及び前記蓄積時間データを用いた蓄積データの削除処理の少なくとも１つが行われることを特徴とするゲームシステム。
【請求項８】  請求項５乃至７のいずれかにおいて、
蓄積されたデータが所与の期間毎に集計されることを特徴とするゲームシステム。
【請求項９】  請求項５乃至８のいずれかにおいて、
ゲームプレイにおける各キャラクタに関するデータがホスト装置に蓄積され、該ホスト装置が、蓄積されたデータを集計することを特徴とするゲームシステム。
【請求項１０】  コンピュータが使用可能な情報記憶媒体であって、
ゲームプレイに使用されるチームを選択するための手段と、
選択されたチームを用いてプレーヤがゲームプレイするためのゲーム演算を行う手段と、
ゲームプレイでのゲーム結果を演算する手段と、
演算されたゲーム結果に基づいて、プレーヤが選択可能なチームの構成キャラクタを順次入れ替える手段としてコンピュータを機能させるためのプログラムを記憶することを特徴とする情報記憶媒体。
【請求項１１】  請求項１０において、
ノーマルチームを用いたゲームプレイでのゲーム結果に基づいて、スペシャルチームの構成キャラクタが順次入れ替わることを特徴とする情報記憶媒体。
【請求項１２】  請求項１１において、
ノーマルチームを用いたゲームプレイでの１ゲームの終了を条件としてキャラクタに活躍ポイントが与えられ、与えられた活躍ポイントに基づいてスペシャルチームの構成キャラクタが入れ替わることを特徴とする情報記憶媒体。
【請求項１３】  請求項１０乃至１２のいずれかにおいて、
同一ポジションのキャラクタ同士が入れ替わることを特徴とする情報記憶媒体。
【請求項１４】  請求項１０乃至１３のいずれかにおいて、
ゲームプレイにおける各キャラクタに関するデータがゲーム結果として蓄積され、蓄積されたデータの集計結果に基づいてチームの構成キャラクタが入れ替わることを特徴とする情報記憶媒体。
【請求項１５】  請求項１４において、
蓄積される前記データが、キャラクタの活躍ポイント、活躍したキャラクタの識別データ、及び蓄積時間データの少なくとも１つを含むことを特徴とする情報記憶媒体。
【請求項１６】  請求項１５において、
前記活躍ポイントの増加の制限処理、前記識別データの記憶領域の制限処理、及び前記蓄積時間データを用いた蓄積データの削除処理の少なくとも１つが行われることを特徴とする情報記憶媒体。
【請求項１７】  請求項１４乃至１６のいずれかにおいて、
蓄積されたデータが所与の期間毎に集計されることを特徴とする情報記憶媒体。
【請求項１８】  請求項１４乃至１７のいずれかにおいて、
ゲームプレイにおける各キャラクタに関するデータがホスト装置に蓄積され、該ホスト装置が、蓄積されたデータを集計することを特徴とする情報記憶媒体。
【手続補正書】
【提出日】平成18年1月20日(2006.1.20)
【手続補正１】
【補正対象書類名】明細書
【補正対象項目名】００１４
【補正方法】変更
【補正の内容】
【００１４】
担体（Ａ）に担持せしめる粒子（Ｂ）の量は、光触媒粒子の種類や熱可塑性重合体の種類等により大きく異なってくるので特定できないが、担体（Ａ）＋粒子（Ｂ）の合計重量に対して、好ましくは０．１〜８０重量％、より好ましくは１〜５０重量％である。０．１重量％より少ないと粒子（Ｂ）が担体（Ａ）の表面全体を覆うことが難しくなり易く、また、８０重量％より多くすることは、必要以上に光触媒担持体内部に埋没する光触媒粒子を増加させるだけで余り意味がない。
【手続補正２】
【補正対象書類名】明細書
【補正対象項目名】００３２
【補正方法】変更
【補正の内容】
【００３２】
一方、図６のシステムは、試料溶液を循環させた場合の光化学触媒活性測定システム（光化学触媒活性を電気伝導度の変化で評価）である。実施例２で作成した光触媒担持体（平均直径：１．５〜１．６ｍｍ）及び光触媒担持無し担体をそれぞれ同じ長さの内径２．８ｍｍのポリ三弗化エチレンチューブに充填し、ブラックライト２５に図６に示す様に巻付けてカラムとした。図６において、実線により描かれたラインは光触媒担持体充填カラムを有するラインを、破線により描かれたラインは光触媒担持無し担体充填カラムを有するラインを表す。試料溶液槽２１、２２にそれぞれ接続された２台の定流量ポンプ２３、２４をそれぞれのカラムに接続し、これらには試験時に試料溶液の流出側に電気伝導度検出器２６を接続した。なお、図６では、光触媒担持体充填カラムを有するラインのみが電気伝導度検出器２６に接続された様に描かれているが、光触媒担持無し担体充填カラムを用いる際は、光触媒担持体充填カラムを有するラインを電気伝導度検出器２６から外し、代わりに光触媒担持無し担体充填カラムを有するラインを電気伝導度検出器２６に接続した。
【手続補正書】
【提出日】平成18年2月9日(2006.2.9)
【手続補正１】
【補正対象書類名】明細書
【補正対象項目名】００３４
【補正方法】変更
【補正の内容】
【００３４】
「実験条件」
・原水流量：２３．６ｍ3／ｄ
・混和槽１０：滞留時間４分
・傾斜板沈殿槽２２：滞留時間４０分、上昇速度５ｃｍ／ｍｉｎ
・ろ過器２４仕様：φ５００ｍｍ×Ｈ４０００ｍｍ（ろ過面積０．１９６ｍ2）
・ろ過速度（ＬＶ：空塔速度）：５ｍ／ｈ（１２０ｍ／ｄ）
・ろ層２４ｂのろ材：活性アルミナ（比重１．５、有効径１．０ｍｍ、均等係数１．４、ろ層高４００ｍｍ）
・ろ層２４ａのろ材：ケイ砂（比重２．５、有効径０．６ｍｍ、均等係数１．４、ろ層高３００ｍｍ）
・通水時間：４８時間（タイマーにより洗浄開始）
・原水濁度：８〜３０度
・原水ｐＨ：７．２〜７．５
・ろ過処理水ｐＨ：６．９〜７．３
・凝集剤：ＰＡＣ（ポリ塩化アルミニウム）１０〜３０ｍｇ／ｌ
・目標処理水濁度：０．１度未満
・洗浄条件：（ｉ）水逆洗 ＬＶ＝４０ｍ／ｈ×４分、（ｉｉ）酸性水逆洗 ＬＶ＝４０ｍ／ｈ×３分、（ｉｉｉ）水逆洗 ＬＶ＝４０ｍ／ｈ×３分（すすぎ）
・逆洗水：中性水はろ過処理水（ｐＨ６．９〜７．３）、酸性水は硫酸にてｐＨ４．０に調整した。
【手続補正書】
【提出日】平成18年1月12日(2006.1.12)
【手続補正１】
【補正対象書類名】明細書
【補正対象項目名】特許請求の範囲
【補正方法】変更
【補正の内容】
【特許請求の範囲】
【請求項１】 
患者を横臥させるベッドと、前記患者の下肢を保持するスプリントと、前記スプリントを駆動する駆動装置と、教示された動作プログラムにしたがって前記駆動装置を制御する制御装置を備え、前記下肢のリハビリテーションを行う下肢リハビリ装置において、前記駆動装置を緊急停止させる患者用スイッチを備えたことを特徴とする下肢リハビリ装置。
【請求項２】
前記患者用スイッチは前記駆動装置を緊急停止させるとともに、異常の発生を報知する報知手段を起動させることを特徴とする請求項１に記載の下肢リハビリ装置。
【請求項３】
前記患者用スイッチは前記患者が手で握って保持する手持ちスイッチであることを特徴とする請求項１または請求項２に記載の下肢リハビリ装置。
【請求項４】
前記患者用スイッチは前記患者の掌または手指に掛けて、前記患者の手からの脱落を防止するフックを備えたことを特徴とする請求項３に記載の下肢リハビリ装置。
【請求項５】
前記患者用スイッチは押しボタンと前記押しボタンの周囲を囲むガード部を備え、前記押しボタンの上面が前記ガード部の上面より低くなるように配置したことを特徴とする請求項３または請求項４に記載の下肢リハビリ装置。
【請求項６】
患者を横臥させるベッドと、前記患者の下肢を保持するスプリントと、前記スプリントを駆動する駆動装置と、教示された動作プログラムにしたがって前記駆動装置を制御する制御装置を備え、前記下肢のリハビリテーションを行う下肢リハビリ装置において、前記駆動装置の制御情報を表示する操作パネルを旋回、俯仰および横行自在なスタンドに取り付けたことを特徴とする下肢リハビリ装置。
【手続補正２】
【補正対象書類名】明細書
【補正対象項目名】０００４
【補正方法】変更
【補正の内容】
【０００４】
【課題を解決するための手段】
本発明は、駆動装置を緊急停止させる患者用スイッチを下肢リハビリ装置に備えるものである。また、前記患者用スイッチに駆動装置を緊急停止させるとともに、異常の発生を報知する報知手段を起動する機能を与えるものである。また、前記患者用スイッチを前記患者が手で握って保持する手持ちスイッチとするものである。また、前記患者用スイッチに前記患者の掌または手指に掛けて、前記患者の手からの脱落を防止するフックを備えるものである。また、前記患者用スイッチは押しボタンと前記押しボタンの周囲を囲むガード部を備え、前記押しボタンの上面が前記ガード部の上面より低くなるように配置するものである。また、前記駆動装置の制御情報等を表示する操作パネルを旋回、俯仰および横行自在なスタンドに取り付けるものである。
【手続補正書】
【提出日】平成18年4月11日(2006.4.11)
【手続補正１】
【補正対象書類名】明細書
【補正対象項目名】特許請求の範囲
【補正方法】変更
【補正の内容】
【特許請求の範囲】
【請求項１】  内部に貯血空間を有するローターと、前記貯血空間に連通する流入口および流出口とを有し、前記ローターの回転により前記流入口より導入された血液を前記貯血空間内で遠心分離する遠心分離器と、採血針もしくは採血器具接続部と前記遠心分離器の流入口とを接続するための第１のラインと、前記遠心分離器の前記流出口に接続される第２のラインと、前記第１のラインに接続された抗凝固剤注入のための第３のラインと、前記第１のラインの途中に接続された第１チューブおよび前記第２のラインと接続された第２チューブを有する血漿採取バッグと、前記第２のラインに接続された血小板採取バッグとからなる血液成分採取回路を備えた血液成分採取装置であって、
該血液成分採取装置は、該遠心分離器の前記ローターを回転させるための遠心分離器駆動装置と、前記第１のラインと前記第１チューブとの接続部より遠心分離器側に配置され、前記第１のラインのための第１の送液ポンプと、前記第３のラインのための第２の送液ポンプと、前記血液成分採取回路の流路の開閉を行うための複数の流路開閉手段と、前記遠心分離器駆動装置、前記第１の送液ポンプ、前記第２の送液ポンプおよび前記複数の流路開閉手段を制御するための制御部を備え、
該制御部は、抗凝固剤が添加された血液の採取、採取された血液の分離および分離された血漿を前記血漿採取バッグ内に採取する血漿採取ステップと、該血漿採取ステップにより採取された前記血漿採取バッグ内の血漿を前記遠心分離器に循環させる血漿循環ステップとからなり、少なくも１回行われる血漿採取・循環ステップと、
該血漿採取・循環ステップの終了後に、血漿循環速度を加速させて、前記遠心分離器内より血小板を流出させ血小板を前記血小板採取バッグに採取する血小板採取ステップと、該血小板採取ステップの終了後、前記遠心分離器内の血液を返血する返血ステップを行わせる血小板採取操作が複数回行われるように、前記遠心分離器駆動装置、前記第１の送液ポンプ、前記第２の送液ポンプおよび前記複数の流路開閉手段を制御するものであり、さらに、最終回以前の血小板採取操作における返血ステップでは、該返血ステップ以前に採取された血漿重量が、所定必要残留血漿量となるまで血漿の返還が行われるように制御するものであることを特徴とする血液成分採取装置。
【請求項２】  内部に貯血空間を有するローターと、前記貯血空間に連通する流入口および流出口とを有し、前記ローターの回転により前記流入口より導入された血液を前記貯血空間内で遠心分離する遠心分離器と、採血針もしくは採血器具接続部と前記遠心分離器の流入口とを接続するための第１のラインと、前記遠心分離器の前記流出口に接続される第２のラインと、前記第１のラインに接続された抗凝固剤注入のための第３のラインと、前記第１のラインの途中に接続された第１チューブおよび前記第２のラインと接続された第２チューブを有する血漿採取バッグと、前記第２のラインに接続された血小板採取バッグとからなる血液成分採取回路を備えた血液成分採取装置であって、
該血液成分採取装置は、該遠心分離器の前記ローターを回転させるための遠心分離器駆動装置と、前記第１のラインと前記第１チューブとの接続部より遠心分離器側に配置され、前記第１のラインのための第１の送液ポンプと、前記第３のラインのための第２の送液ポンプと、前記血液成分採取回路の流路の開閉を行うための複数の流路開閉手段と、前記遠心分離器駆動装置、前記第１の送液ポンプ、前記第２の送液ポンプおよび前記複数の流路開閉手段を制御するための制御部を備え、
該制御部は、抗凝固剤が添加された血液の採取、採取された血液の分離および分離された血漿を前記血漿採取バッグ内に採取する血漿採取ステップと、該血漿採取ステップにより採取された前記血漿採取バッグ内の血漿を前記遠心分離器に循環させる血漿循環ステップとからなり、少なくも１回行われる血漿採取・循環ステップと、
該血漿採取・循環ステップの終了後に、血漿循環速度を加速させて、前記遠心分離器内より血小板を流出させ血小板を前記血小板採取バッグに採取する血小板採取ステップと、該血小板採取ステップの終了後、前記遠心分離器内の血液を返血する返血ステップを行わせる血小板採取操作が複数回行われるように、前記遠心分離器駆動装置、前記第１の送液ポンプ、前記第２の送液ポンプおよび前記複数の流路開閉手段を制御するものであり、さらに、最終回以前の血小板採取操作における返血ステップでは、該返血ステップ以前に採取された血漿重量が、下記条件の残留血漿量（ｙ）の範囲内となるように血漿の返還が行われるように制御するものであることを特徴とする血液成分採取装置。
（条件）残留血漿量（ｙ）は、Ａ以上かつＡ≦Ｂの場合にはＢ以下
Ａ＝所定必要残存血漿量
Ｂ＝血小板採取操作回数×（目標血漿採取量−１回目の返血ステップ前の血小板採取操作終了時の採取血漿量）／（血小板採取操作総回数−１）
【請求項３】  前記制御部は、前記血漿採取・循環ステップが２回行われるように制御するものであり、初回の血漿採取・循環ステップでは、前記血漿採取バッグ内の血漿を前記遠心分離器に定速にて循環させる血漿採取・定速循環ステップが行われ、２回目の血漿採取・循環ステップでは、前記血漿採取バッグ内の血漿を前記遠心分離器に加速させながら循環させる血漿採取・加速循環ステップが行われるように制御するものである請求項１または２に記載の血液成分採取装置。
【請求項４】  前記制御部は、最終回の血小板採取操作における返血ステップでは、最終回の返血ステップまでに採取された血漿重量が目標血漿採取量を越えている場合には、過剰分の血漿が返還されるように制御するものである請求項１ないし３に記載の血液成分採取装置。
【請求項５】  前記制御部は、最終回の血小板採取操作における返血ステップでは、最終回の返血ステップまでに前記血漿採取バッグに採取された血漿の返還を行わないように制御するものである請求項１ないし３のいずれかに記載の血液成分採取装置。
【請求項６】  前記所定必要残存血漿量は、１０〜５０ｍｌである請求項１ないし４のいずれかに記載の血液成分採取装置。
【請求項７】  前記制御部は、供血者のヘマトクリット値によって、前記遠心分離器のローターの遠心回転数を制御する機能を備えている請求項１ないし６のいずれかに記載の血液成分採取装置。
【請求項８】  前記血液成分採取装置は、ヘマトクリット値入力部もしくはヘマトクリット値測定機能を備え、前記制御部は、入力もしくは測定されたヘマトクリット値を用いて、該ヘマトクリット値に適したローター回転数を演算するローター回転数演算機能および該ローター回転数演算機能により演算されたローター回転数を用いて遠心分離器駆動装置を制御する機能を備えている請求項７に記載の血液成分採取装置。
【請求項９】  前記血液成分採取装置は、前記血漿採取バッグの重量センサを備えている請求項１ないし８のいずれかに記載の血液成分採取装置。
【請求項１０】  前記制御部は、前記血小板採取操作が少なくとも２回行われるように、前記遠心分離器駆動装置、前記第１の送液ポンプ、前記第２の送液ポンプおよび前記複数の流路開閉手段を制御するものである請求項１ないし８のずれかに記載の血液成分採取装置。
【手続補正書】
【提出日】平成18年5月15日(2006.5.15)
【手続補正１】
【補正対象書類名】明細書
【補正対象項目名】特許請求の範囲
【補正方法】変更
【補正の内容】
【特許請求の範囲】
【請求項１】
被検者を寝載する寝台と、前記被検者にＸ線を照射するＸ線源と前記被検者の透過Ｘ線を検出するＸ線検出器とを前記被検者の周囲を回転させるスキャナにより多方向からのＸ線透過データを収集するガントリと、このガントリの筐体表面に配置され前記被検者の接触によって装置全体の電源を遮断するためにその接触を検出する接触検出用テープスイッチと、を備えたＸ線ＣＴ装置において、前記ガントリと前記被検者とが接触するおそれがある動作中を除き、前記接触検出用テープスイッチが作動しても前記スキャナの回転、Ｘ線管からのＸ線の放射を中断しないようにシステム系電源を遮断しない制御を行うテープスイッチ制御手段を備えたことを特徴とするＸ線ＣＴ装置。
【請求項２】
前記テープスイッチ制御手段は、術者が前記被検者に穿刺しながらＣＴ計測を行うＣＴフロロスコピー計測時に、前記術者による前記接触検出用テープスイッチへの接触により、前記ガントリのティルト動作中又は前記寝台の上下前後動作中を除き前記接触検出用テープスイッチが作動しても、前記システム系電源を遮断しない制御を行うことを特徴とする請求項１に記載のＸ線ＣＴ装置。
【手続補正２】
【補正対象書類名】明細書
【補正対象項目名】０００７
【補正方法】変更
【補正の内容】
【０００７】
【課題を解決するための手段】
上記目的を達成するために、本発明は、被検者を寝載する寝台と、前記被検者にＸ線を照射するＸ線源と前記被検者の透過Ｘ線を検出するＸ線検出器とを前記被検者の周囲を回転させるスキャナにより多方向からのＸ線透過データを収集するガントリと、このガントリの筐体表面に配置され前記被検者の接触によって装置全体の電源を遮断するためにその接触を検出する接触検出用テープスイッチと、を備えたＸ線ＣＴ装置において、前記ガントリと前記被検者とが接触するおそれがある動作中を除き、前記接触検出用テープスイッチが作動しても前記スキャナの回転、Ｘ線管からのＸ線の放射を中断しないようにシステム系電源を遮断しない制御を行うテープスイッチ制御手段を備えたものである。
【手続補正３】
【補正対象書類名】明細書
【補正対象項目名】図４
【補正方法】変更
【補正の内容】
【図４】
2000325333.tif 000001
【手続補正書】
【提出日】平成18年8月8日(2006.8.8)
【手続補正１】
【補正対象書類名】明細書
【補正対象項目名】００３５
【補正方法】変更
【補正の内容】
【００３５】
なお、第２の実施態様においては、少なくとも基材の端面がシール材により被覆されてなることが好ましい。このことにより、図７（ｂ）に示すように、濾過流体が基材１を通じて濾過されることはなく、また、既に濾過された濾過流体が汚染されることはない。
【手続補正書】
【提出日】平成18年2月24日(2006.2.24)
【手続補正１】
【補正対象書類名】明細書
【補正対象項目名】特許請求の範囲
【補正方法】変更
【補正の内容】
【特許請求の範囲】
【請求項１】
１ゲームに対して賭け数を設定することによりゲームを開始させることが可能となり、可変表示装置の表示結果が導出表示されることにより１ゲームが終了し、該可変表示装置の表示結果に応じて所定の入賞が発生可能であるスロットマシンにおいて、
前記可変表示装置の表示結果に応じて、遊技者に有価価値を付与する有価価値付与手段と、
前記可変表示装置の表示結果に応じて、遊技状態を移行させる遊技状態移行手段と、
遊技状態がビッグボーナスにあるときに、前記有価価値付与手段が遊技者に付与した有価価値の数に従って計数を行う有価価値数計数手段と、
前記有価価値数計数手段の計数に基づいて、遊技者に付与した有価価値の数が所定数に達した場合に、所定数時処理を行う所定数時処理手段とを備え、
前記所定数は、複数種類用意され、前記所定数時処理手段は、複数種類のうちのいずれかの所定数を適用して所定数時処理を行う
ことを特徴とするスロットマシン。
【請求項２】
遊技状態がビッグボーナスにあるときに、該ビッグボーナスの遊技状態で提供される所定のゲームのゲーム数を計数するゲーム数計数手段と、
前記ゲーム数計数手段が計数したゲーム数が所定数に達したかどうかを判断するゲーム数判断手段とをさらに備え、
前記所定数時処理手段は、さらに前記ゲーム数判断手段が所定数に達したと判断したときに、前記所定数時処理を行う
ことを特徴とする請求項１に記載のスロットマシン。
【請求項３】
前記所定数時処理は、前記遊技状態移行手段にビッグボーナスの遊技状態を終了させるものである
ことを特徴とする請求項１または２に記載のスロットマシン。
【請求項４】
入賞を許容するか否かを表示結果が導出される以前に決定する事前決定手段をさらに備え、
前記所定数時処理は、前記事前決定手段により前記ビッグボーナスの遊技状態で提供される所定のゲームにおける入賞対象態様を許容する旨を決定する確率を低下させるものである
ことを特徴とする請求項１または２に記載のスロットマシン。
【請求項５】
前記所定数時処理手段は、各回のゲームにおいて前記可変表示装置上の表示態様に応じた有価価値の付与を終了した後に、前記所定数時処理を行う
ことを特徴とする請求項１乃至４のいずれか１項に記載のスロットマシン。
【請求項６】
遊技の進行に伴って成立した条件により、前記複数種類用意された所定数のうちで前記所定数時処理手段が適用すべき所定数を決定する所定数決定手段をさらに備える
ことを特徴とする請求項１乃至５のいずれか１項に記載のスロットマシン。
【請求項７】
前記所定数決定手段は、前記遊技状態移行手段が遊技状態をビッグボーナスに移行させる契機となった前記可変表示装置の表示結果を構成する識別情報に基づいて、前記所定数時処理手段が適用すべき所定数を決定する
ことを特徴とする請求項６に記載のスロットマシン。
【請求項８】
前記所定数決定手段は、ビッグボーナスに関連した所定のタイミングで抽選を行う抽選手段を備え、該抽選手段の抽選結果に従って、前記所定数時処理手段が適用すべき所定数を決定する
ことを特徴とする請求項６に記載のスロットマシン。
【請求項９】
前記抽選手段の抽選結果に従って、演出手段に所定の演出を行わせ、その演出の態様により遊技者に抽選結果を示す演出制御手段をさらに備える
ことを特徴とする請求項８に記載のスロットマシン。
【請求項１０】
前記所定数時処理手段が適用した所定数と、遊技者に付与した有価価値の数との差を示す残り数を表示する残り数表示手段をさらに備える
ことを特徴とする請求項１乃至９のいずれか１項に記載のスロットマシン。
【請求項１１】
前記所定数時処理手段が適用した所定数を表示する所定数表示手段と、遊技者に付与した有価価値の数を表示する有価価値数表示手段とをさらに備える
ことを特徴とする請求項１乃至１０のいずれか１項に記載のスロットマシン。
【請求項１２】
前記複数種類の所定数のうちで数が大きい種類の所定数に決定されているときに、ビッグボーナスにおいて遊技者に付与した有価価値の数が前記複数種類の所定数のうちで数が小さい種類の所定数になるまでは該数が小さい種類の所定数に対応する表示を行い、ビッグボーナスにおいて遊技者に付与した有価価値の数が該数が小さい種類の所定数に達したときに該数が大きい種類の所定数に対応する表示に切り替える表示切替手段をさらに備える
ことを特徴とする請求項１乃至１１のいずれか１項に記載のスロットマシン。
【手続補正２】
【補正対象書類名】明細書
【補正対象項目名】００２１
【補正方法】変更
【補正の内容】
【００２１】
前記所定数時処理手段が適用した所定数を表示する所定数表示手段と、遊技者に付与した有価価値の数を表示する有価価値数表示手段とをさらに備えるものとすることができる。この場合にも、遊技者は前記所定数時処理が行われる状態が近づいているのを容易に認識することができる。なお、所定数表示手段と有価価値数表示手段とは、同一の表示装置上に領域を分けて設けるものとしても、別々の表示装置上に設けるものとしてもよい。
また、上記スロットマシンは、
前記複数種類の所定数のうちで数が大きい種類の所定数に決定されているときに、ビッグボーナスにおいて遊技者に付与した有価価値の数が前記複数種類の所定数のうちで数が小さい種類の所定数になるまでは該数が小さい種類の所定数に対応する表示を行い、ビッグボーナスにおいて遊技者に付与した有価価値の数が該数が小さい種類の所定数に達したときに該数が大きい種類の所定数に対応する表示に切り替える表示切替手段をさらに備えるものとすることができる。
【手続補正書】
【提出日】平成18年5月16日(2006.5.16)
【手続補正１】
【補正対象書類名】明細書
【補正対象項目名】００１２
【補正方法】変更
【補正の内容】
【００１２】
図１は本発明の構造を備えた自動二輪車の側面図，図２は同自動二輪車の平面図，図３は同自動二輪車の正面図，図４は同自動二輪車の後方斜視図，図５図は３の５−５線拡大縦断面図，図６は図５の６矢視図，図７は図３の７−７線断面図，図８は図１の８部拡大図である。
【手続補正２】
【補正対象書類名】明細書
【補正対象項目名】図面の簡単な説明
【補正方法】変更
【補正の内容】
【図面の簡単な説明】
【図１】
本発明の構造を備えた自動二輪車の側面図。
【図２】
同自動二輪車の平面図。
【図３】
同自動二輪車の正面図。
【図４】
同自動二輪車の後方斜視図。
【図５】
図３の５−５線拡大縦断面図。
【図６】
図５の６矢視図。
【図７】
図３の７−７線断面図。
【図８】
図１の８部拡大図。
【手続補正３】
【補正対象書類名】図面
【補正対象項目名】図３
【補正方法】変更
【補正の内容】
【図３】
2003081164.tif 000001
【手続補正書】
【提出日】平成18年10月19日(2006.10.19)
【手続補正１】
【補正対象書類名】明細書
【補正対象項目名】発明の名称
【補正方法】変更
【補正の内容】
【発明の名称】撮像装置及び撮像装置の制御方法
【手続補正２】
【補正対象書類名】明細書
【補正対象項目名】特許請求の範囲
【補正方法】変更
【補正の内容】
【特許請求の範囲】
【請求項１】
所定の光学系を介して被写体を撮像して撮像結果を取得すると共に、前記撮像結果より所定の評価値を検出し、前記評価値を基準にしてオートフォーカス調整する撮像装置において、
前記フォーカス調整の範囲の設定を受け付ける入力手段と、
調整範囲の制限によるオートフォーカスの調整モードにおいて、前記入力手段による設定の範囲で、前記光学系のフォーカスをオートフォーカス調整する制御手段と
を備えることを特徴とする撮像装置。
【請求項２】
前記制御手段は、
操作子の操作に応動して、前記調整範囲の制限によるオートフォーカスの調整モードと、
前記光学系の調整可能範囲で、前記光学系をオートフォーカス調整するオートフォーカスの調整モードとで動作モードを切り換える
ことを特徴とする請求項１に記載の撮像装置。
【請求項３】
所定の光学系を介して被写体を撮像して撮像結果を取得すると共に、前記撮像結果より所定の評価値を検出し、前記評価値を基準にしてオートフォーカス調整する撮像装置の制御方法において、
前記フォーカス調整の範囲の設定を受け付ける入力ステップと、
調整範囲の制限によるオートフォーカスの調整モードにおいて、前記入力ステップによる設定の範囲で、前記光学系のフォーカスをオートフォーカス調整する制御ステップとを有する
ことを特徴とする撮像装置の制御方法。
【手続補正３】
【補正対象書類名】明細書
【補正対象項目名】０００１
【補正方法】変更
【補正の内容】
【０００１】
【発明の属する技術分野】
本発明は、撮像装置及び撮像装置の制御方法に関し、例えばカメラ一体型ビデオテープレコーダ等に適用することができる。本発明は、オートフォーカス調整の範囲をユーザーにより設定できるようにすることにより、ユーザーの意図しない著しいフォーカスの変化を防止することができるようにする。
【手続補正４】
【補正対象書類名】明細書
【補正対象項目名】０００８
【補正方法】変更
【補正の内容】
【０００８】
本発明は以上の点を考慮してなされたもので、このようなユーザーの意図しない著しいフォーカスの変化を防止することができる撮像装置及び撮像装置の制御方法を提案しようとするものである。
【手続補正５】
【補正対象書類名】明細書
【補正対象項目名】０００９
【補正方法】変更
【補正の内容】
【０００９】
【課題を解決するための手段】
かかる課題を解決するため請求項１の発明は、撮像装置に適用して、フォーカス調整の範囲の設定を受け付ける入力手段と、調整範囲の制限によるオートフォーカスの調整モードにおいて、入力手段による設定の範囲で、光学系のフォーカスをオートフォーカス調整する制御手段とを備えるようにする。また請求項３の発明は、撮像装置の制御方法に適用して、フォーカス調整の範囲の設定を受け付ける入力ステップと、調整範囲の制限によるオートフォーカスの調整モードにおいて、入力ステップによる設定の範囲で、光学系のフォーカスをオートフォーカス調整する制御ステップとを有するようにする。
【手続補正６】
【補正対象書類名】明細書
【補正対象項目名】００１０
【補正方法】変更
【補正の内容】
【００１０】
請求項１又は請求項３の構成によれば、調整範囲の制限によるオートフォーカスの調整モードにおいて、入力手段による設定の範囲で、光学系のフォーカスをオートフォーカス調整することにより、この調整範囲の設定に応じた範囲でしかフォーカスが変化しないようにしてオートフォーカス調整することができる。従って例えば撮像装置の前を通行人が横切り、何ら制限しない場合にはこの通行人に対して合焦するような著しいフォーカスの変化が発生する場合でも、このフォーカスの変化を調整範囲に留めることができ、これによりユーザーの意図しない著しいフォーカスの変化を防止することができる。
【手続補正書】
【提出日】平成18年11月7日(2006.11.7)
【手続補正１】
【補正対象書類名】明細書
【補正対象項目名】発明の名称
【補正方法】変更
【補正の内容】
【発明の名称】撮像装置の露出制御機構及び露出制御方法
【手続補正２】
【補正対象書類名】明細書
【補正対象項目名】特許請求の範囲
【補正方法】変更
【補正の内容】
【特許請求の範囲】
【請求項１】  光軸に直交する面上を絞り羽根が互いに離接する方向に移動することにより絞り開口を形成するとともに、少なくとも１枚の絞り羽根にはＮＤフィルタが取着されておらず、他の絞り羽根に少なくとも２段階の透過率を有したＮＤフィルタが取着された撮像装置の露出制御機構において、
ＮＤフィルタが取着された絞り羽根の移動速度をＮＤフィルタが取着されていない絞り羽根よりも速くした
ことを特徴とする撮像装置の露出制御機構。
【請求項２】  ＮＤフィルタを取着した絞り羽根が１枚であって、移動方向に少なくとも２段階の透過率を有する１枚のＮＤフィルタを絞り羽根に取着した
ことを特徴とする請求項１に記載の撮像装置の露出制御機構。
【請求項３】  ＮＤフィルタを取着した絞り羽根が１枚であって、同じ透過率の２枚のＮＤフィルタを移動方向にずらして取着した
ことを特徴とする請求項１に記載の撮像装置の露出制御機構。
【請求項４】  ＮＤフィルタを取着した絞り羽根が２枚であって、それぞれの絞り羽根にＮＤフィルタが取着され、これらＮＤフィルタは移動方向にずれるように配置された
ことを特徴とする請求項１に記載の撮像装置の露出制御機構。
【請求項５】  光軸に直交する面上を絞り羽根が互いに離接する方向に移動することにより絞り開口を形成するとともに、少なくとも１枚の絞り羽根にはＮＤフィルタが取着されておらず、他の絞り羽根に少なくとも２段階の透過率を有したＮＤフィルタが取着される撮像装置の露出制御方法において、
ＮＤフィルタが取着された絞り羽根の移動速度をＮＤフィルタが取着されていない絞り羽根よりも速くする
ことを特徴とする撮像装置の露出制御方法。
【手続補正３】
【補正対象書類名】明細書
【補正対象項目名】０００１
【補正方法】変更
【補正の内容】
【０００１】
【発明の属する技術分野】
本発明は新規な撮像装置の露出制御機構及び露出制御方法に関する。詳しくは、直線方向に離接する少なくとも２枚の絞り羽根から構成される露出制御機構及び露出制御方法において、中間域の回折の改善を図るとともに、所謂シェーディングを防止する技術に関する。
【手続補正４】
【補正対象書類名】明細書
【補正対象項目名】００１９
【補正方法】変更
【補正の内容】
【００１９】
そこで、本発明は、上記問題点に鑑み、絞り開口が開放状態から小絞り状態に至る中間の状態の時における画質の劣化を防止するとともに、いわゆるシェーディングの発生（悪化）を減少させることを課題とする。
【手続補正５】
【補正対象書類名】明細書
【補正対象項目名】００２３
【補正方法】変更
【補正の内容】
【００２３】
【発明の実施の形態】
以下に、本発明の実施の形態について、添付図面を参照して説明する。
【手続補正６】
【補正対象書類名】明細書
【補正対象項目名】００２４
【補正方法】変更
【補正の内容】
【００２４】
本発明は、光軸に直交する面上を絞り羽根が移動することにより絞り開口を制限するものである。尚、以下の説明において、上下左右の方向とは、露出制御機構１を物体側から見た時の上下左右の方向を指すものとし、また、前後の方向とは、物体側を前方、像側を後方としてそれぞれ示すものとする。
【手続補正７】
【補正対象書類名】明細書
【補正対象項目名】００５４
【補正方法】変更
【補正の内容】
【００５４】
【発明の効果】
以上に説明したように本発明は、光軸に直交する面上を絞り羽根が互いに離接する方向に移動することにより絞り開口を形成するとともに、少なくとも１枚の絞り羽根にはＮＤフィルタが取着されておらず、他の絞り羽根に少なくとも２段階の透過率を有したＮＤフィルタが取着された撮像装置の露出制御機構において、ＮＤフィルタが取着された絞り羽根の移動速度をＮＤフィルタが取着されていない絞り羽根よりも速くしたことを特徴とする。
【手続補正８】
【補正対象書類名】明細書
【補正対象項目名】図面の簡単な説明
【補正方法】変更
【補正の内容】
【図面の簡単な説明】
【図１】
図２乃至図４と共に、本発明の実施の形態を示すものであり、本図は露出制御機構の分解斜視図である。
【図２】
露出制御機構の正面図である。
【図３】
開放状態から小絞り状態へと移行する各段階における絞り開口の状態を示す図である。
【図４】
本発明及び従来技術における露出制御機構のＭＴＦ値を示すグラフ図である。
【図５】
本発明及び別の従来技術における露出制御機構における受光面の中心部に対する周辺光量を示すグラフ図である。
【図６】
ＮＤフィルタの変形例を示す要部の分解斜視図である。
【図７】
ＮＤフィルタの別の変形例を示す要部の分解斜視図である。
【図８】
図９と共に、従来の撮像装置における露出制御機構を示すものであり、本図は露出制御機構の分解斜視図である。
【図９】
開放状態から小絞り状態へと移行する各段階における絞り開口の状態を示す図である。
【図１０】
別の従来における開放状態から小絞り状態へと移行する各段階における絞り開口の状態を示す図である。
【符号の説明】
１…露出制御機構、２…ＮＤフィルタが取着された絞り羽根、３…ＮＤフィルタが取着されていない絞り羽根、４…１枚で２段階の透過率を有するＮＤフィルタ、４Ａ…２枚を貼り合せたＮＤフィルタ、４Ｂ…各別のＮＤフィルタ、２６ａ…ＮＤフィルタ、２６ｂ…ＮＤフィルタ、２７…絞り羽根、２８…絞り羽根
【手続補正書】
【提出日】平成17年11月22日(2005.11.22)
【手続補正１】
【補正対象書類名】明細書
【補正対象項目名】特許請求の範囲
【補正方法】変更
【補正の内容】
【特許請求の範囲】
【請求項１】  感光材料の搬送方向上流側ないし搬送方向下流側に設けた通過口を通して搬送される感光材料を処理槽に貯留している処理液によって処理する感光材料処理装置であって、
略円筒状に形成された外周部が前記通過口の開口された領域に対向されることにより該開口を閉塞可能に配設されたシャッタ部と、
前記シャッタ部の略円筒状の外周部を前記通過口の開口を閉塞する位置と開放する位置との間を移動する移動手段と、
を含むことを特徴とする感光材料処理装置。
【請求項２】  前記通過口を挟んで上下に対で設けられ通過口の開口内に突出した互いの先端の間を前記感光材料が通過可能となる開口を形成するブレードを含み、
前記シャッタ部が前記ブレードによって形成された前記開口の閉塞位置及び開放位置へ移動可能とされていることを特徴とする請求項１に記載の感光材料処理装置。
【請求項３】  前記シャッタ部が、前記ブレードの間の開口を通過する前記感光材料の搬送路に隣接する所定位置に設けた支軸と、略半円筒状に形成し両端部が前記支軸から広がるように形成した略扇形状の脚部によって支軸に支持された閉塞部と、を備え、前記シャッタ部が前記開口を開放する位置にあるときに該開口を通過する前記感光材料を所定方向へ案内するガイド手段として前記脚部の間で前記支軸に回転自在に設けられたガイドローラを備えたことを特徴とする請求項２に記載の感光材料処理装置。
【請求項４】  前記シャッタ部が支軸に回転自在に設けられて前記開口を通過する前記感光材料を所定方向へ案内するガイド手段を兼ねるガイドローラであり、前記移動手段が前記ガイドローラを前記ブレードの間の開口を閉塞する位置と開放して前記感光材料の搬送路に隣接するガイド位置との間を移動することを特徴とする請求項１又は請求項２に記載の感光材料処理装置。
【手続補正２】
【補正対象書類名】明細書
【補正対象項目名】０００９
【補正方法】変更
【補正の内容】
【０００９】
【課題を解決するための手段】
上記目的を達成するために本発明は、感光材料の搬送方向上流側ないし搬送方向下流側に設けた通過口を通して搬送される感光材料を処理槽に貯留している処理液によって処理する感光材料処理装置であって、略円筒状に形成された外周部が前記通過口の開口された領域に対向されることにより該開口を閉塞可能に配設されたシャッタ部と、前記シャッタ部の略円筒状の外周部を前記通過口の開口を閉塞する位置と開放する位置との間を移動する移動手段と、を含むことを特徴とする。
【手続補正３】
【補正対象書類名】明細書
【補正対象項目名】００１０
【補正方法】変更
【補正の内容】
【００１０】
この発明によれば、感光材料の通過口に設けるシャッタ部は、略円筒状の外周部が通過口の開口へ入り込むことにより通過口を閉塞し、通過口の開口から退避されることにより、通過口を開放する。
移動手段は、通過口を閉塞するときに、シャッタ部の略円筒状の外周部を通過口の開口に入り込ませるので、通過口の開口を確実に閉塞することができる。
【手続補正４】
【補正対象書類名】明細書
【補正対象項目名】００１１
【補正方法】変更
【補正の内容】
【００１１】
また、本発明は、前記通過口を挟んで上下に対で設けられ通過口の開口内に突出した互いの先端の間を前記感光材料が通過可能となる開口を形成するブレードを含み、前記シャッタ部が前記ブレードによって形成された前記開口の閉塞位置及び開放位置へ移動可能とされていることを特徴とする。
この発明によれば、ブレードによって感光材料を通過する開口を狭めることにより、シャッタ部を小さくでき、このシャッタ部を退避させるときにも移動量が少なくてすむので、コンパクト化が可能となる。
【手続補正５】
【補正対象書類名】明細書
【補正対象項目名】００１２
【補正方法】変更
【補正の内容】
【００１２】
このような本発明では、前記シャッタ部が、前記ブレードの間の開口を通過する前記感光材料の搬送路に隣接する所定位置に設けた支軸と、略半円筒状に形成し両端部が前記支軸から広がるように形成した略扇形状の脚部によって支軸に支持された閉塞部と、を備え、前記シャッタ部が前記開口を開放する位置にあるときに該開口を通過する前記感光材料を所定方向へ案内するガイド手段として前記脚部の間で前記支軸に回転自在に設けられたガイドローラを用いることができる。
【手続補正書】
【提出日】平成18年10月30日(2006.10.30)
【手続補正１】
【補正対象書類名】明細書
【補正対象項目名】００１８
【補正方法】変更
【補正の内容】
【００１８】
図２の状態において、開放レバー１２の軟磁性板１４を吸着している電磁石への通電を停止すると、軟磁性板に対する吸着力が消失し、開放レバー１２は引張りバネ１３の付勢力により右旋して図３に示す状態となる。
図３に示す状態では、セットレバー１、ロックレバー２及び閉鎖レバー５は図２の状態と同じであるが、開放レバー１２が上記したように右旋することにより駆動ピン１２ｅは最下位まで変位している。この結果、開放羽根は開口から退避して折りたたまれた状態となっており、図２の状態から閉鎖羽根が既に開口から退避して折りたたまれていることと合わせてシャッタ開口が開いた露光状態となっている。
開放レバー１２の右旋により突起部１２ｄがフラッシュ用スイッチ１５に触れて制御回路にフラッシュを焚くタイミングであることを検知させている状態となっている。
【手続補正書】
【提出日】平成18年11月13日(2006.11.13)
【手続補正１】
【補正対象書類名】特許請求の範囲
【補正対象項目名】全文
【補正方法】変更
【補正の内容】
【特許請求の範囲】
【請求項１】
無線通信網においてリソースを予約する方法であって、
無線端末が、その相手端末に対し、第１のリソースの予約を要求する第１の予約要求メッセージを送信するステップと、
前記第１の予約要求メッセージを中継するルータが、前記無線端末と前記相手端末との間の通信に対して前記第１のリソースを割り当てるステップと、
前記無線端末が、前記相手端末に対し、第２のリソースの予約を要求する第２の予約要求メッセージを送信するステップと、
前記第２の予約要求メッセージを中継するルータが、前記無線端末と前記相手端末との間の通信に対して前記第２のリソースを割り当てるステップと
を有し、
前記第２の予約要求メッセージを中継するルータのうち前記第１の予約要求メッセージを中継したルータは、前記無線端末と前記相手端末との間の通信に対して割り当てた前記第１のリソースを、前記第２のリソースとして当該通信に割り当てることを特徴とする方法。
【請求項２】
前記第１および第２の予約要求メッセージを中継するルータには、前記無線端末のホームエージェントが含まれ、
前記第２の予約要求メッセージを中継するルータのうち前記第１の予約要求メッセージを中継したルータは、前記無線端末と前記ホームエージェントとの間の通信経路に含まれるルータであることを特徴とする方法。
【請求項３】
前記第１および第２の予約要求メッセージは、Shared Explicitスタイルを使用して送信されることを特徴とする請求項１または２に記載の方法。
【請求項４】
無線通信網においてリソースを予約するシステムであって、
無線端末と、
前記無線端末と通信を行う相手端末と、
前記無線端末と前記相手端末との間の通信経路に含まれる複数のルータと
を有し、
前記無線端末は、前記相手端末に対し、第１のリソースの予約を要求する第１の予約要求メッセージを送信し、
前記複数のルータのうち前記第１の予約要求メッセージを中継するルータは、前記無線端末と前記相手端末との間の通信に対して前記第１のリソースを割り当て、
前記無線端末は、前記相手端末に対し、第２のリソースの予約を要求する第２の予約要求メッセージを送信し、
前記複数のルータのうち前記第２の予約要求メッセージを中継するルータは、前記無線端末と前記相手端末との間の通信に対して前記第２のリソースを割り当て、
前記第２の予約要求メッセージを中継するルータのうち前記第１の予約要求メッセージを中継したルータは、前記無線端末と前記相手端末との間の通信に対して割り当てた前記第１のリソースを、前記第２のリソースとして当該通信に割り当てることを特徴とするシステム。
【手続補正書】
【提出日】平成17年11月25日(2005.11.25)
【手続補正１】
【補正対象書類名】明細書
【補正対象項目名】請求項１
【補正方法】変更
【補正の内容】
【請求項１】  開繊した長繊維捲縮トウの内部に複数本のコア部フィルター材を
挿入したシース・コア型たばこフィルターを製造する方法であって、
前記複数本のコア部フィルター材相互の配置関係を規定すること、及び
この規定の終了後、該複数本のコア部フィルター材を所望の断面形状となるように集束
して、開繊した長繊維捲縮トウ中に挿入すること、
を含んでなることを特徴とするシース・コア型たばこフィルターの製造方法。
【手続補正２】
【補正対象書類名】明細書
【補正対象項目名】請求項３
【補正方法】変更
【補正の内容】
【請求項３】  開繊した長繊維捲縮トウの内部に複数本のコア部フィルター材を
挿入したシース・コア型たばこフィルターを製造する装置であって、
複数本のコア部フィルター材の相互の配置関係を規定する位置規定ガイドと、
該複数本のコア部フィルター材を所望の断面形状となるように集束する集束ガイドと、
を備えてなることを特徴とするシース・コア型たばこフィルターの製造装置。
【手続補正書】
【提出日】平成17年11月21日(2005.11.21)
【手続補正１】
【補正対象書類名】明細書
【補正対象項目名】特許請求の範囲
【補正方法】変更
【補正の内容】
【特許請求の範囲】
【請求項１】
少なくとも複合盤と複数の住宅情報盤とを有する共同住宅警報監視システムにおいて、
前記住宅情報盤から前記複合盤に対する呼出しが有ったことを示す呼出情報を記憶する記憶手段と、
該記憶手段に記憶されている呼出情報を読出して表示する呼出情報表示手段と、
を備えたことを特徴とする共同住宅警報監視システム。
【請求項２】
記憶手段に呼出情報が記憶されていることを示す呼出代表表示手段および連絡音鳴動手段のいずれかまたは組み合わせを有する請求項１の共同住宅警報監視システム。
【請求項３】
記憶手段に記憶されている呼出情報にある住宅情報盤を複合盤が呼出し、該住宅情報盤と該複合盤との間で通話が終了したときに、該住宅情報盤に関する呼出情報を前記記憶手段から消去する呼出消去手段を備えている請求項１または２の共同住宅警報監視システム。
【請求項４】
複合盤から住宅情報盤に対する呼出しが有ったことを示す呼出情報を記憶する第２の記憶手段と、
該第２の記憶手段に呼出情報が記憶されていることを示す呼出表示手段と、
を備えている請求項１ないし３いずれかの共同住宅警報監視システム。
【請求項５】
第２の記憶手段は、複合盤からの呼出状態において該複合盤のセットスイッチ操作に基づいて呼出情報を記憶する請求項４の共同住宅警報監視システム。
【手続補正２】
【補正対象書類名】明細書
【補正対象項目名】００１１
【補正方法】変更
【補正の内容】
【００１１】
また、複合盤から住宅情報盤に対する呼出しが有ったことを示す呼出情報を記憶する第２の記憶手段と、該第２の記憶手段に呼出情報が記憶されていることを示す呼出表示手段と、を備えたことを特徴とするものである。
【手続補正３】
【補正対象書類名】明細書
【補正対象項目名】０１０５
【補正方法】変更
【補正の内容】
【０１０５】
また、複合盤から住宅情報盤に対する呼出しが有ったことを示す呼出情報を記憶する第２の記憶手段と、該第２の記憶手段に呼出情報が記憶されていることを示す呼出表示手段と、を備えたものであり、住戸の居住者が不在の場合にも、複合盤からの呼出しを受ける住宅情報盤が呼出情報を記憶部に格納し、事後に居住者が住宅情報盤を確認することで容易に呼出情報を認識でき、シンプルなシステム構成で、インターホン通話による連絡事項が円滑に行われる。
【手続補正書】
【提出日】平成17年11月28日(2005.11.28)
【手続補正１】
【補正対象書類名】明細書
【補正対象項目名】特許請求の範囲
【補正方法】変更
【補正の内容】
【特許請求の範囲】
【請求項１】
実際の遊技機を模したコンピュータゲームを動かすゲーム機に接続され、前記コンピュータゲームの内容に対応した操作手段を備えるコントローラ装置であって、
前記コントローラ装置の本体の転倒を防止すべく支持する脚部を備え、前記脚部は、前記コントローラ装置の本体に展開可能に取り付けられていることを特徴とするコントローラ装置。
【請求項２】
実際の遊技機を模したコンピュータゲームを動かすゲーム機に接続され、前記コンピュータゲームの内容に対応した操作手段を備えるコントローラ装置であって、
前記コントローラ装置の本体の転倒を防止すべく支持し、前記コントローラ装置の本体に対して着脱可能なディスプレイ部材を備えることを特徴とするコントローラ装置。